(57)【特許請求の範囲】
【請求項１】
水槽内から汲み出された水を微細水滴に分裂させる水分裂部と、前記水分裂部より送風された微細水滴を空気中から分離する気液分離部とを有し、水の分裂によって生じた負イオンを空気中に発生させる負イオン発生装置において、前記水槽内に通じて前記水分裂部の底に溜められた水の波立ちを抑えて水面からの水滴の飛散を防止する波立ち押え手段を備え、前記水分裂部は、前記水槽内から汲み出された水を装置の外部から吸込まれた空気流中で微細水滴に分裂させる部分である風路部と、前記風路部の下方に位置し、前記風路部内に供給された水を前記水槽に戻して循環させる部分であり、一定量の循環水が溜められた水路部とに区画され、前記波立ち押え手段は、前記風路部と前記水路部間を隔離するものであることを特徴とする負イオン発生装置。
【請求項２】
水槽内から汲み出された水を微細水滴に分裂させる水分裂部と、前記水分裂部より送風された微細水滴を空気中から分離する気液分離部とを有し、水の分裂によって生じた負イオンを空気中に発生させる負イオン発生装置において、前記水槽内に通じて前記水分裂部の底に溜められた水の波立ちを抑えて水面からの水滴の飛散を防止する波立ち押え手段を備え、前記水分裂部は、前記水槽内から汲み出された水を装置の外部から吸込まれた空気旋回流中で微細水滴に分裂させる部分である風路部と、前記風路部の下方に位置し、前記風路部内に供給された水を前記水槽に戻して循環させる部分であり、一定量の循環水が溜められた水路部とに区画され、前記波立ち押え手段は、前記水路部内に挿入され、底に溜められた循環水の水面の回転運動を阻止する堰を形成するものであることを特徴とする負イオン発生装置。
【請求項３】
水槽内から汲み出された水を微細水滴に分裂させる水分裂部と、前記水分裂部より送風された微細水滴を空気中から分離する気液分離部とを有し、水の分裂によって生じた負イオンを空気中に発生させる負イオン発生装置において、前記水槽内に通じて前記水分裂部の底に溜められた水の波立ちを抑えて水面からの水滴の飛散を防止する波立ち押え手段を備え、送風機と、水噴射塔と、サイクロン塔とを有する負イオンの発生装置において、前記送風機は装置の外部から吸込んだ空気を前記水噴射塔に送気するものであり、前記水噴射塔は水分裂部を形成し風路部と水路部とを有し、前記風路部は、前記送風機より送り込まれた空気を旋回させつつ内部を流動させその空気の旋回流中に水槽から汲み出された水をノズルより噴射し前記水噴射塔の内面に衝突させて微細水滴に分裂させ空気中に負イオンを発生させる部分であり、前記水路部は、前記風路部に生じた余剰の水を循環水として前記水槽に戻す部分であり一定量の循環水が溜められ、前記サイクロン塔は、気液分離部を形成し前記水噴射塔より送り込まれた空気を気液分離し負イオンを含む空気を装置の外部に送出し分離された水は前記水槽に戻す構成であり、前記波立ち押え手段は、前記水噴射塔の前記水路部に溜められた循環水の水面に浮かべ、前記水噴射塔内を流動する空気の旋回流から循環水の水面を隔離する遮蔽板を備えたことを特徴とする負イオン発生装置。
【請求項４】
水槽内から汲み出された水を微細水滴に分裂させる水分裂部と、前記水分裂部より送風された微細水滴を空気中から分離する気液分離部とを有し、水の分裂によって生じた負イオンを空気中に発生させる負イオン発生装置において、前記水槽内に通じて前記水分裂部の底に溜められた水の波立ちを抑えて水面からの水滴の飛散を防止する波立ち押え手段を備え、送風機と、水噴射塔と、サイクロン塔とを有する負イオンの発生装置において、前記送風機は装置の外部から吸込んだ空気を前記水噴射塔に送気するものであり、前記水噴射塔は水分裂部を形成し風路部と水路部とを有し、前記風路部は、前記送風機より送り込まれた空気を旋回させつつ内部を流動させその空気の旋回流中に水槽から汲み出された水をノズルより噴射し前記水噴射塔の内面に衝突させて微細水滴に分裂させ空気中に負イオンを発生させる部分であり、前記水路部は、前記風路部に生じた余剰の水を循環水として前記水槽に戻す部分であり一定量の循環水が溜められ、前記サイクロン塔は、気液分離部を形成し前記水噴射塔より送り込まれた空気を気液分離し負イオンを含む空気を装置の外部に送出し分離された水を前記水槽に戻す構成において、旋回防止板は、前記波立ち押え手段であり、平板を垂直に立てた姿勢で放射状に組合わされ、各平板の上部を循環水の水面から上方へ突出させ、定位置に保持して水路部の循環水中に差込まれ、循環水の水面に作用する空気の旋回流による水面の回転を阻止することを特徴とする負イオン発生装置。
【請求項５】
水路部を風路部から隔離すると同時に前記水路部内の循環水の回転運動を阻止する遮蔽板と旋回防止板との組み合わせである遮蔽・旋回防止板を備えたことを特徴とする請求項３または４記載の負イオン発生装置。
【発明の詳細な説明】
【０００１】
【発明の属する技術分野】
本発明は、レナード効果（瀧効果）を利用して空気中に負イオンを発生させる負イオン発生装置に関する。
【０００２】
【従来の技術】
近年、健康志向が高まるなか、室内空気の清浄化はもとより更なる付加価値として空気イオンの利用が注目されている。空気イオンは、我々の仕事の能率や情緒に対して、明らかに影響をあたえる。特に負イオンは、精神を安定させ、呼吸器の機能を高める効果を持つといわれている。
【０００３】
水滴が空中で分裂するとき、より正確には、水滴が障壁である金属板に衝突して微細水滴に分裂するとき、付近の空気中に負イオンが発生し、微細水滴が負イオンと等量の正電荷を得る。この現象は、レナード効果（Ｌｅｎａｒｄ’ｅｆｆｅｃｔ）として古くから知られている。その後、水滴が空気中で分裂するだけでレナードと同様な効果が起こり得る事がシンプソン（Ｓｉｍｍｐｓｏｎ）によってたしかめられた。
【０００４】
レナード効果を利用して空気中に負イオンを発生させる装置は、例えば特公平５−５８７５５５号（先行例１）に記載され、また、このような負イオン発生装置を一般家庭用又は事務所用として小型化をしたものは、例えば実開平４−１２６７１７号公報（先行例２）に空気清浄機として開示されている。
【０００５】
図７に先行例２の構成を示す。図７において、レナード効果を利用した負イオン発生装置は、要するに水分裂部１０１と、気液分離部１０２と、水槽１０３との組合わせからなるものである。水槽１０３内の水は、ポンプ１０４で汲み出されて水分裂部１０１に供給され、水分裂部１０１のノズル１０５から高圧で噴出され、水分裂部１０１の筒の内壁１０６に衝突して微細水滴に分裂し、空気中に負イオンを生ずる。
【０００６】
一方、水分裂部１０１内には、送風機１０７から吸引された外気が吹込まれ、水分裂部１０１に発生した負イオンを含む微細水滴は、空気の旋回流によって気液分離部１０２に送風され、気液分離部１０２内で、旋回しつつ上昇する間に、旋回流によって生じた遠心力作用を受けて気液分離され、水滴は水槽１０３内に戻され、負イオンを含む空気が送気口１０８から外気中に送気される。
【０００７】
クリーンルームなどに使用される大型の負イオン発生機においても基本的な構成は全く同じである。小型の負イオン発生装置では水分裂部と、気液分離部と、水槽とが一体に組付けられるのに対し、大型の負イオン発生機においては、水分裂部となる水噴射塔と、気液分離部となるサイクロン塔とが配管で接続され、さらに送風機と水噴射塔とがダクトで接続される。
【０００８】
水槽は、水分裂部に供給すべき水の供給源であり、また、水分裂部に供給された大部分の余剰の水及び気液分離部で分離された水滴を回収して循環使用するためのものであり、特に水分裂部に供給した水の大部分を循環水として回収する必要から、水槽は水分裂部と連通し、循環水は、水分裂部内に一定量が溜められている。
【０００９】
【発明が解決しようとする課題】
上記のような構成で風量を増加させていくと、水分裂部内に溜められた循環水の水面は、水噴射塔内に吹込まれた空気の旋回流の影響を受けて回転し、その回転運動によって、振動・波立ちが生じ、これが騒音発生の原因になるばかりでなく、さらには、空気の旋回流に水分裂部内の循環水が巻き上げられ、巻き上げられた水が大粒の水滴となって気液分離部内に吹込まれ、気液分離処理されぬまま、送気口から外気中に吹き出される虞がある。
【００１０】
水槽内の水は、水槽から汲み出されて水分裂部に供給され、水分裂部では、装置の外部から吸引された空気と接触して再び水槽内に戻され、繰り返し使用されるものであるため、空気中に含まれる塵埃、細菌、糸状菌、胞子類等が水槽内の循環水中に取り込まれることになる。
【００１１】
したがって、気液分離部で処理されぬまま大粒の水滴が装置の外部に吹出されると、循環水中に含まれるこれら塵埃、細菌、糸状菌、胞子類等も水滴とともに装置の外部に吹き出される虞がある。
【００１２】
負イオン発生装置においては、水槽内の水は、オーバーフロー、排水などの措置によって入れ替えるようになっており、水中の塵埃、細菌、糸状菌、胞子類等は、水槽内の水のオーバーフロー、排水によって水槽内から除去されるべきであり、循環水が、水滴として直接外気に放出されてはならない。
【００１３】
本発明の目的は、空気の旋回流による水分裂部内の循環水の巻き上げを阻止し、循環水が大粒の水滴として装置の外部に放出されることのない負イオン発生装置を提供することにある。
【００１５】
【課題を解決するための手段】
上記目的を解決するため、本発明による負イオン発生装置においては、波立ち押え手段を有し、水槽内の水を汲み出し、汲み出された水を水分裂部に送水し、水分裂部で微細水滴に分裂させ、気液分離部に送風して微細水滴を分離し、空気中に負イオンを発生させる負イオン発生装置であって、波立ち押え手段は、水槽内に通じて水分裂部の底に溜められた水路部の水の波立ちを抑え、水面からの水滴の飛散を防止するものであり、前記水分裂部内は、風路部と、その下方の水路部とに区画され、風路部は、水槽内から汲み出された水を、装置の外部から吸込まれた空気の旋回流中で微細水滴に分裂させる部分であり、水路部は、風路部内に供給された水を受入れ、受入れた水を水槽に戻して循環させる部分であり、循環水が溜められ、前記波立ち押え手段は、風路部と、水路部間を隔離することができる負イオン発生装置が得られる。
【００１６】
また、水分裂部内は、風路部と、その下方の水路部とに区画され、風路部は、水槽内から汲み出された水を、装置の外部から吸込まれた空気の旋回流中で微細水滴に分裂させる部分であり、水路部は、風路部内に供給された水を受入れ水槽に戻して循環させる部分であり、循環水が溜められ、波立ち押え手段は、水路部内に挿入され、底に溜められた循環水の水面の回転を阻止する堰を形成することができる負イオン発生装置が得られる。
【００１７】
また、送風機と、水噴射塔と、サイクロン塔と、遮蔽板とを有する負イオンの発生装置であって、送風機は、装置の外部から吸込んだ空気を水噴射塔に送気するものであり、水噴射塔は、水分裂部を形成し、風路部と水路部とを有し、風路部は、送風機より送り込まれた空気を旋回させつつ内部を流動させ、その空気の旋回流中に水槽から汲み出された水をノズルより噴射し、水噴射塔の内面に衝突させて微細水滴に分裂させ、空気中に負イオンを発生させる部分であり、水路部は、風路部に生じた余剰の水を循環水として水槽に戻す部分であり、一定量の循環水が溜められ、サイクロン塔は、気液分離部を形成し、水噴射塔より送り込まれた空気を気液分離し、負イオンを含む空気を装置の外部に送出し、分離された水は水槽に戻すものであり、遮蔽板は、波立ち押え手段であり、水噴射塔の水路部に溜められた循環水の水面に浮かべ、水噴射塔内を流動する空気の旋回流から循環水の水面を隔離することができる負イオン発生装置が得られる。
【００１８】
また、送風機と、水噴射塔と、サイクロン塔と、旋回防止板とを有する負イオンの発生装置であって、送風機は、装置の外部から吸込んだ空気を水噴射塔に送気するものであり、水噴射塔は、水分裂部を形成し、風路部と水路部とを有し、風路部は、送風機より送り込まれた空気を旋回させつつ内部を流動させ、その空気の旋回流中に水槽から汲み出された水をノズルより噴射し、水噴射塔の内面に衝突させて微細水滴に分裂させ、空気中に負イオンを発生させる部分であり、水路部は、風路部に生じた余剰の水を循環水として水槽に戻す部分であり、一定量の循環水が溜められ、サイクロン塔は、気液分離部を形成し、水噴射塔より送り込まれた空気を気液分離し、負イオンを含む空気を装置の外部に送出し、分離された水を水槽に戻すものであり、旋回防止板は、波立ち押え手段であり、平板を垂直に立てた姿勢で放射状に組合わされ、各平板の上部を循環水の水面から上方へ突出させ、定位置に保持して水路部の循環水中に差込まれ、循環水の水面に作用する空気の旋回流による水面の回転を阻止することができる負イオン発生装置が得られる。
【００１９】
また、遮蔽・旋回防止板を有し、遮蔽・旋回防止板は、遮蔽板と旋回防止板との組み合わせであり、水路部を風路部から隔離すると同時に水路部内の循環水の回転運動を阻止することができる負イオン発生装置が得られる。
【００２１】
【発明の実施の形態】
本発明の請求項１に記載の発明は、波立ち押え手段を有し、水槽内の水を汲み出し、汲み出された水を水分裂部に送水し、水分裂部で微細水滴に分裂させ、気液分離部に送風して微細水滴を分離し、空気中に負イオンを発生させる負イオン発生装置であって、波立ち押え手段は、水槽内に通じて水分裂部の底に溜められた水の波立ちを抑えることができ、水面からの水滴の飛散を防止するという作用を有するものであり、水分裂部内は、風路部と、その下方の水路部とに区画され、風路部は、水槽内から汲み出された水を、装置の外部から吸込まれた空気の旋回流中で微細水滴に分裂させる部分で、水路部は、風路部内に供給された水を受け入れ、受け入れた水を水槽に戻して循環させる部分であり、循環水が溜められるものであり、風路部と、水路部間は、波立ち押え手段によって、実質的に隔離することができる。
【００２２】
また、請求項２に記載の発明は、水分裂部内は、風路部と、その下方の水路部とに区画され、風路部は、水槽内から汲み出された水を、装置の外部から吸込まれた空気の旋回流中で微細水滴に分裂させる部分であり、水路部は、風路部内に供給された水を受け入れ水槽に戻して循環させる部分であり、循環水が溜められ、波立ち押え手段は、水路部内に挿入され、底に溜められた循環水の水面の回転運動を阻止する堰を形成したものであり、波立ち押え手段により水面からの水滴の飛散を防止するという作用を有する。
【００２３】
また、請求項３に記載の発明は、送風機と、水噴射塔と、サイクロン塔と、遮蔽板とを有する負イオン発生装置であって、送風機は、装置の外部から吸込んだ空気を水噴射塔に送気するものであり、水噴射塔は、水分裂部を形成し、風路部と水路部を有し、風路部は、送風機より送り込まれた空気を旋回させつつ内部を流動させ、その空気の旋回流中に水槽から汲み出された水をノズルより噴射し、水噴射塔の内面に衝突させて微細水滴に分裂させ、空気中に負イオンを発生させる部分であり、水路部は、風路部に生じた余剰の水を循環水として水槽に戻す部分であり、一定量の循環水が溜められ、サイクロン塔は、気液分離部を形成し、水噴射塔より送り込まれた空気を気液分離し、負イオンを含む空気を装置の外部に送出し、分離された水は水槽に戻すものであり、遮蔽板は、波立ち押え手段であり、水噴射塔の水路部に溜められた循環水の水面に浮かべ、水噴射塔内を流動する空気の旋回流から循環水の水面を隔離するという作用を有する。
【００２４】
また、請求項４に記載の発明は、送風機と、水噴射塔と、サイクロン塔と旋回防止板とを有する負イオン発生装置であって、送風機は、装置の外部から吸込んだ空気を水噴射塔に送気するものであり、水噴射塔は、水分裂部を形成し、風路部と水路部とを有し、風路部は、送風機より送り込まれた空気を旋回させつつ内部を流動させ、その空気の旋回流中に水槽から汲み出された水をノズルより噴射し、水噴射塔の内面に衝突させて微細水滴に分裂させ、空気中に負イオンを発生させる部分であり、水路部は、風路部に生じた余剰の水を循環水として水槽に戻す部分であり、一定量の循環水が溜められ、サイクロン塔は、気液分離部を形成し、水噴射塔より送り込まれた空気を気液分離し、負イオンを含む空気を装置の外部に送出し、分離された水を水槽に戻し、旋回防止板は、波立ち押え手段であり、平板を垂直に立てた姿勢で放射状に組み合わされ、各平板の上部を循環水の水面から上方へ突出させ、定位置に保持して水路部の循環水中に差し込まれ、循環水の水面に作用する空気の旋回流による水面の回転を阻止することができる。
【００２５】
また、請求項５に記載の発明は、遮蔽板と旋回防止板との組み合わせである遮蔽・旋回防止板を有し、水路部を風路部から隔離すると同時に水路部内の循環水の回転運動を阻止することができる作用を有する。
【００２６】
【実施例】
（実施例１）
以下に本発明の実施の形態を図によって説明する。図１において、負イオン発生装置は、水分裂部１０１と、送風機１０７と、気液分離部１０２と、水槽１０３との組合わせからなっているものである。
【００２７】
水分裂部１０１は、水槽１０３内から汲み上げられた水を噴射して微細水滴に分裂させる部分であり、この実施形態においては水噴射塔１内に、水を噴射する多数のノズル１０５を備えた水噴射管２を配管し、水噴射管２は、ポンプ１０４を介して水槽１０３に接続している。
【００２８】
すなわち、水噴射塔１は、水分裂部１０１を形成するものであり、内外二重筒からなり、外筒３は送風機１０７に接続され、内筒４はサイクロン塔５に接続されている。送風機１０７は、外気を装置の外部から吸引して水噴射塔１内に吹込み、水噴射塔１内で空気の旋回流を形成し、これをサイクロン塔５に送風するものであり、送風機１０７に接続されたダクト６を水噴射塔１の外筒３の上部に連通させている。
【００２９】
サイクロン塔５は、気液分離部１０２を形成するものであり、水分裂部１０１に発生させた微細水滴を空気の旋回流と共に受入れ、空気の旋回によって生ずる遠心力作用で気液分離をし、水滴の分裂によって生じた負イオンを含む空気を装置の外部に排出するものである。
【００３０】
この実施形態においては、サイクロン塔５と水噴射塔１の内筒４とをダクト６をもって接続している。内筒４は、水噴射塔１の外筒３の中心部分に上下に配管されたものであり、周方向に張り出したヘッダー７を有し、水噴射管２は、上方に起立させてヘッダー７に同心状に装備され、多数のノズル１０５を外筒３の内面に向けて設置されているものである。
【００３１】
なお、内筒４の下端開口位置は、ノズル１０５より噴射される水滴が直接入らない高さに設定されている。水槽１０３は、水噴射管２に送水する水を充填するタンクであり、水槽１０３には、オーバーフロー口８が設けられており、給水口（図示略）より常時給水されて一定の水位を保っている。水槽１０３には、水噴射塔１内に供給され、水噴射塔１に生じた余剰の水及びサイクロン塔５で分離した水が回収される。
【００３２】
水槽１０３と、サイクロン塔５の底とは、ドレン抜き９で接続され、水槽１０３と、水噴射塔１とは、配管１０をもって互いに連通させている。このため、水槽１０３内に充填された水は、機内を循環し、その循環水の一部は水噴射塔１内に流入してその内部に溜められる。
【００３３】
この結果、水噴射塔１の上部は、空気を流動させる上方の風路部１１となり、下部の一定範囲は、循環水に満たされて水路部１２となる、すなわち、水分裂部１０１は、風路部１１と、水路部１２とに区画される。
【００３４】
この実施形態において、送風機１０７の駆動によって、装置の外部から吸込まれた空気は、水噴射管２の吸込口１３より水噴射塔１の外筒３の内面に沿って旋回しつつ下降する。一方、水槽１０３内の水は、ポンプ１０４によって汲み出され、水噴射管２の各ノズル１０５より噴射され、外筒３の内面に衝突して微細水滴に分裂し、水噴射塔１の外筒内を旋回しつつ下降する空気流と接触し、その空気中に負イオンを発生させる。ノズル１０５より噴出された大部分の水滴は、そのまま外筒内面を伝わって水路部１２内に落下し、水槽１０３内に戻されて循環使用される。
【００３５】
水分裂部１０１に発生した負イオンは、微細水滴と共に空気の旋回流にのせられ、水路部１２の水面で反転して内筒４内に流入し、さらにサイクロン塔５内に送り込まれ、サイクロン塔５内を旋回しつつ下降する間に旋回により生じた遠心力作用で、旋回空気中の微細水滴及び空気中に含まれる微細な塵が遠心力分離され、水滴は、塵とともにサイクロン塔５の内壁を伝って水槽１０３内に戻され、負イオンを含む清浄な空気は、反転上昇してサイクロン塔５の送気口１０８から装置の外部に排出される。
【００３６】
この実施形態において、水路部１２に溜められた循環水の水面ＷＬには、風路部１１を下降して内筒４内に反転上昇する空気の旋回流が吹き付けられる。本発明は、空気の旋回流が作用する循環水の水面ＷＬに波立ち押え手段１４を設置して空気の旋回流の作用による水路部１２の水面ＷＬの波立ちを阻止するものである。
【００３７】
図２において、この実施例においては、波立ち押え手段１４に円盤状の遮蔽板１５を用い、遮蔽板１５を水路部１２の水面ＷＬに浮かべて風路部１１と水路部１２とを実質的に隔離している。遮蔽板１５は、水面ＷＬに浮かべるだけでなく、水分裂部１０１の底部に溜まった循環水の上方にあって、風路部１１と水路部１２とを実質的に隔離できればよいと考えられるが、水噴射塔１の内筒４の底部と、遮蔽板１５との距離が短くなると、その分、水噴射塔１の内部の空気の圧力損失が大きくなり、サイクロン塔５の送気口１０８より吹き出される空気量、つまり負イオン発生装置の風量が減ることになる。
【００３８】
逆に、水噴射塔１の内筒４の開口縁と、遮蔽板１５間の距離を大きくすると、その分、水噴射塔１の高さが高くなり、装置が大型化し、これがコストアップの要因となり、さらには、水噴射塔１の内筒４の底面と遮蔽板１５の間で乱流が起こり、かえって水分裂部１０１の内部の圧力損失が高くなる。このため、水噴射塔１の内筒４の下端と遮蔽板１５との距離、つまりは水噴射塔１の下部に溜まった循環水の水面ＷＬと、水噴射塔１の内筒４間の距離は、水噴射塔１の内部圧力０．００５ｋｇｆ／ｃｍ2時において、１００〜１５０ｍｍ程度が望ましい。
【００３９】
遮蔽板１５は、風路部１１の空気旋回流の水路部１２への影響を少なくするため、可能なかぎり水路部１２に溜まった循環水の表面を覆うことが望ましいが、風路部１１と水路部１２間の循環水の流通が阻害されると、ノズル１０５より噴射された循環水を水路部１２に受入れて水槽１０３に導くことができない。このため、遮蔽板１５と水噴射塔１の外筒３の内面との間には循環水の流通が阻害されない程度の隙間を確保しておくことが必要である。
【００４０】
ノズル１０５より噴射された循環水は、この隙間を通り、水路部１２に導かれ、水槽１０３に戻される。上記構成により、この実施形態においては、送風機１０７から水分裂部１０１内に吹込まれた空気の旋回流は、外筒３内を下降して遮蔽板１５に衝突して反転上昇し、遮蔽板１５を回転させる事があっても、遮蔽板１５に妨げられて循環水への影響は遮断され、循環水の水面ＷＬを波立たせることがなく、したがって、水滴は飛散しない。
【００４１】
以上、実施例においては、遮蔽板１５に円盤状の板を用いたが、あるいは、遮蔽板１５ａは、図３に示すように、円盤の中央が突出した円錐形状のものであっても良い。波立ち押え手段１４に円錐形状の円盤を用いれば、ノズル１０５から落下した循環水を円錐の斜面１６で誘導して容易に水路部１２に導くことができる。
【００４２】
あるいは逆に、図４に示すように、中心が窪んだ円錐状であって、中心部に穴１７を有する遮蔽板１５ｂを用いても同様の効果が得られる。
【００４３】
以上の実施形態は、水分裂部１０１である水噴射塔１内に区画形成された風路部１１と、水路部１２間を波立ち押え手段１４で隔離することによって、水路部１２の循環水の水面ＷＬの波立ちを防止する例であるが、水路部１２の水面ＷＬの波立ちを防止するには、風路部１１と、水路部１２間を隔離するまでもなく、空気の旋回流が水路部１２の水面ＷＬに作用しても、実質的に、水面ＷＬの回転運動を抑えることができれば、水面の波立ちが防止され、振動の発生をなくすことができる。
【００４４】
（実施例２）
図５は、波立ち押え手段１４に、旋回防止板１８を用いた例である。旋回防止板１８は、図５（ｂ）に示すように、平板１９を垂直に立てた姿勢で放射状（十字）に組合わせたものである。旋回防止板１８を図５（ａ）のように、水噴射塔１の水路部１２の循環水中に差込み、各平板１９の上部は、循環水の水面ＷＬから風路部１１へ突出させて定位置に固定保持すると、旋回防止板１８は、水噴射塔１の中心部を通り、外筒３の内面に接触する位置に配設され、水路部１２内の循環水の水面ＷＬは風路部１１に開放されるが、風路部１１内を流動する空気の旋回流が水路部１２の水面ＷＬに作用しても平板１９の板面が堰となって水面ＷＬの回転運動は阻止され、したがって波立ちは生ぜず、また振動音が発することもない。
【００４５】
なお、本実施例では旋回防止板１８は十字板の組み合わせとしたが、平板あるいは複数枚の板の組み合わせでもよい。
【００４６】
（実施例３）
図６（ａ）、（ｂ）は、旋回防止板１８の上端にさらに遮蔽板１５を取付けた遮蔽・旋回防止板２０を波立ち押え手段に用いる例である。この例によれば、遮蔽板１５によって、風路部１１と、水路部１２とが隔離され、さらに、旋回防止板１８によって、水路部１２内に溜められた循環水の回転運動が抑えられ、たとえ水路部１２内の循環水の水面が暴れて旋回防止板１８にあたり、水滴の飛散が起こったとしても、水滴は、遮蔽板１５の裏面に当たり、再び風路部１１に飛び出す量は大幅に削減され、より完全に水面ＷＬの波立ちを抑える事ができる。
【００４７】
【発明の効果】
以上のように本発明によれば、水槽内に通じて水分裂部の底に溜められた水路部の水の波立ちを抑え、水面からの水滴の飛散を防止するため、気液分離部から装置の外部への大粒の水滴の飛散を抑制でき、また、あわせて、水面の回転運動、波立ちに起因した装置全体の振動または騒音の発生を抑制できる効果が得られる。
【図面の簡単な説明】
【図１】（ａ）は、本発明の第１の実施の形態による負イオン発生装置を示す断面図
（ｂ）は、要部の断面平面図
【図２】遮蔽板を適用した水噴射塔の拡大断面図
【図３】遮蔽板の他の実施形態を示す図
【図４】遮蔽板のさらに他の実施形態を示す図
【図５】（ａ）は、本発明の第２の実施例による負イオン発生装置の水噴射塔を示す図
（ｂ）は、旋回防止板を示す図
【図６】（ａ）は、本発明の第３の実施例による負イオン発生装置の水噴射塔を示す図
（ｂ）は、旋回防止板を示す図
【図７】従来の負イオン発生装置の一例を示す図
【符号の説明】
１      水噴射塔
５      サイクロン塔
１１    風路部
１２    水路部
１４    波立ち押え手段
１５    遮蔽板
１８    旋回防止板
２０    遮蔽・旋回防止板
１０１  水分裂部
１０２  気液分離部
１０３  水槽
１０５  ノズル
１０７  送風機
【図１】
0003730075.tif 000002
【図２】
0003730075.tif 000003
【図３】
0003730075.tif 000004
【図４】
0003730075.tif 000005
【図５】
0003730075.tif 000006
【図６】
0003730075.tif 000007
【図７】
0003730075.tif 000008